(57)【要約】【課題】励振電極を傷つけることなく、圧電素板を基礎部材に対して水平に実装する。【解決手段】短冊形の水晶片２の一方の面は長手方向に平行な平面となっており、他方の面は長手方向の両端部においてベベリング円弧形状が形成されている。水晶片２の引出電極２１ａ及び２２ａ若しくはパッケージ３の接続電極３１及び３２の電極表面に、予めＡｕを主成分とするワイヤから超音波をかけてスタッドバンプ４を形成した後、水晶片２の平面側の引出電極２１ａ近傍を吸着ノズルで吸着し、接続電極３１、３２上に保持し、超音波を印加して接合されている。蓋部材５はパッケージ３の蓋部材接合部３５にロー材層５１を介して接合されている。【選択図】      図２
2005033390.tif 000002
【特許請求の範囲】
【請求項１】
短冊形状の長手方向の両端部に先端に向かうに従って厚みが薄くなる加工を施した圧電素板を、バンプを介してパッケージに接合する圧電デバイスにおいて、前記圧電素板の一方の面は、超音波接合のための吸着ノズル先端と合致するよう、平面形状を有することを特徴とする圧電デバイス。
【請求項２】
短冊形状の長手方向の両端部に先端に向かうに従って厚みが薄くなる加工を施した圧電素板を、バンプを介してパッケージに接合する圧電デバイスの製造方法において、前記圧電素板の一方の面に平面を形成し、前記圧電素板の引出電極側の前記平面端部近傍を吸着ノズルで吸着し、前記圧電素板を前記パッケージ上に保持した後、前記吸着ノズルで前記圧電素板を加圧しながら超音波を印加することによって前記パッケージに接合することを特徴とする圧電デバイスの製造方法。
【請求項３】
前記吸着ノズルは前記引出電極を除いた部分を吸着することを特徴とする請求項２記載の圧電デバイスの製造方法。
【発明の詳細な説明】
【０００１】
【発明の属する技術分野】
本発明は、超音波接合を用いた圧電デバイスとその製造方法に関する。
【０００２】
【従来の技術】
従来、電子機器の小型化や薄型化の要求に応えて、その電子回路も高密度化され、回路基板に実装される電子部品は、薄型高密度の実装に適するように、他の一般の電子部品同様に小型チップ化されて、回路基板の片面だけで半田付けできる表面実装型のもの（ＳＭＤ）が多く出現している。近年、携帯用通信機器等の普及に伴い、ますます電子部品の更なる小型化、軽量化、そしてコストダウンの要求が強まっている。
【０００３】
圧電デバイスにおいても、同様の事情により小型のＳＭＤ製品が要求されている。従来の半田や導電性接着剤による圧電素板の支持方法では、圧電素板の位置が不安定になりやすいことや接着剤からガスが発生するなどで電気特性を劣化させる問題があった。そこで、スタッドバンプを活用して圧電素板を支持する構造の圧電デバイスが考案されている（例えば、特許文献１参照。）。これらのものは、圧電素板とこれを取り付けた部材との間にスタッドバンプによる隙間が生じる。従って、この隙間によって圧電素板と取付部材との熱膨張係数の差により発生する水平方向の歪みを吸収することができる。また、圧電素板が精度良く水平を保って接続されるなどの効果がある。
【０００４】
バンプを用いた溶着方法としては、平板のＡＴ板ではあるが、熱圧着法や超音波溶着法が既に知られている（例えば、特許文献２参照）。この効果は、熱圧着より加熱温度を低くできる等であり、このため超音波溶着法の採用は効率が良い。ところで、ＡＴ板の場合、圧電素板の形状によっても異なるが、一般には、高周波振動を得るために平板形状を使用するので、その固着方法として特許文献２に記載の方法を採用できるが、比較的低周波振動を得る時には、その形状の影響により等価直列抵抗が変化して生じる周波数変動があるので、その特性を改善する目的で、ベベル加工又はコンベックス加工を施す必要がある。
【０００５】
【特許文献１】
特開平８−２９８４２３号公報（図２、第２頁）
【特許文献２】
特開平１０−２８４９７２号公報（図２、段落「０００７」）
【０００６】
【発明が解決しようとする課題】
しかしながら、圧電素板がベベル加工を施した短冊形状である場合には、容器内の素板搭載保持部に保持する工程において、圧電素板の長手方向の端部を超音波ノズルを用いて吸着し、容器内の素板搭載保持部に接合したバンプに押しつけて超音波を印加する際に、圧電素板の吸着面である上面がベベリング円弧状になっているために、ノズルの吸着面をベベリング円弧形状に合わせて加工する等の工夫をしても、ベベル加工の加工方法から見て円弧形状のバラツキが大きく、圧電素板を水平に保持することが困難であった。
【０００７】
すなわち、圧電素板の一端部を吸着した場合、圧電素板自体を水平に保持できず、例えば容器または容器に実装されたＩＣなどの電子部品に接触して実装ができない。また、実装できたとしても容器内の圧電素板の上下の隙間を大きめに設定する必要が生じ、圧電デバイスの薄型化に対して不利であった。更に、圧電素板の中央近傍にある励振電極部分は平板か平板に近い形状をしているので、この中央近傍を吸着ノズルで吸着したいが、この部分を吸着すると圧電素板の励振電極部を超音波ノズルで吸着するときに、励振電極を傷つけてしまうことがあって、その場合にはデバイス特性に重要な問題を発生させていた。
【０００８】
本発明の目的は、上記課題を解決し、デバイス特性に重要な励振電極を傷つけることなく、しかも安定した接合を可能とする圧電デバイスとその製造方法を提供することである。
【０００９】
【課題を解決するための手段】
前述した目的を達成するための本発明の手段は、短冊形状の長手方向の両端部に先端に向かうに従って厚みが薄くなる加工を施した圧電素板を、バンプを介してパッケージに接合する圧電デバイスにおいて、前記圧電素板の一方の面は、超音波接合の吸着ノズル先端の平面と合致するよう、平面形状を有することを特徴とする。
【００１０】
また、前述した目的を達成するための本発明の製造方法は、短冊形状の長手方向の両端部に先端に向かうに従って厚みが薄くなる加工を施した圧電素板を、バンプを介してパッケージに接合する圧電デバイスの製造方法において、前記圧電素板の一方の面に平面を形成し、前記圧電素板の引出電極側の前記平端部近傍を吸着ノズルで吸着し、前記圧電素板を前記パッケージ上に保持した後、前記圧電素板を前記パッケージに加圧しながら超音波を印加することを特徴とする。
【００１１】
また、前記吸着ノズルは前記引出電極を除いた部分を吸着することを特徴とする。
【００１２】
【発明の実施の形態】
以下、本発明の実施の形態である圧電デバイスを図面に基づいて詳細に説明する。図１は本発明の実施の形態である水晶振動子の平面図であり、蓋部材の一部を除いて示してある。図２は図１のＸ−Ｘ断面を示す断面図である。
【００１３】
まず、本発明の実施の形態である圧電デバイスとしての水晶振動子の構成を説明する。図１、図２において、１は本発明の実施の形態である水晶振動子であり、２は圧電素板である短冊形の水晶片であり、水晶片２の一方の面は長手方向に平行な平面となっており、他方の面は長手方向の両端部において先端に向かうに従って厚みが薄くなる形状であるベベリング円弧形状が形成されている。２１、２２は水晶片２の上下面に被着した励振電極であり、ベベリング円弧形状が形成されている端部の下面には上下面の励振電極２１、２２から引き出された引出電極２１ａ、２２ａが延在している。上面の引出電極２１ａは後述する接続電極に接続されるように水晶片２の端面を経て下面に延在している。
【００１４】
３はセラミックスから成るパッケージであり、水晶片２を搭載する段部３ａを有したキャビティ３ｂが形成されている。３１、３２は段部３ａに形成されたメタライズ層である一対の接続電極であり、３３、３４はパッケージ３の長手方向端部下面に形成されたメタライズ層である外部との接続用の一対の端子電極である。接続電極３１、３２と端子電極３３、３４とはそれぞれ図示しないパッケージ３の内部配線により電気的に接続されている。３５はキャビティ３ｂを囲むようにパッケージ３上面に枠状にメタライズ形成された蓋部材接合部である。何れのメタライズ層にも金メッキが施されている。
【００１５】
４はＡｕを主成分とするワイヤから形成された複数のスタッドバンプであり、予め引出電極２１ａ、２２ａまたは接続電極３１、３２の電極表面に超音波をかけて固相拡散により圧接されている。その後、引出電極２１ａと接続電極３１とに接合される。５はパッケージ３を封止する平板状の蓋部材であり、５１は蓋部材５に予め形成されているＡｕ／Ｓｎ合金等の低い溶融温度を有する金属材から成るロー材層であり、蓋部材５はロー材層５１を介して蓋部材接合部３５に接合されている。
【００１６】
次に、本発明の実施の形態である水晶振動子の製造方法について説明する。図３は水晶振動子の製造方法を示す断面図であり、図３（ａ）はパッケージ３に水晶片２を搭載する前の状態を示しており、図３（ｂ）は搭載中の状態を示している。図４は図３（ｂ）のＹ−Ｙ断面を示す断面図である。
【００１７】
ここでは、水晶振動子の製造方法の中でも本発明の特徴である水晶片２をパッケージ３に搭載する方法について説明する。図３において、６は超音波を印加できる真空吸着ノズルの先端部である。７はホットプレートである。まず、パッケージ３を予備加熱するためホットプレート７上に載置する。そして、Ａｕワイヤによりスタッドバンプ４を接続電極３１、３２上に形成しておく。次に、水晶片２の引出電極２１ａのある端部の平面側を吸着ノズル６により吸着保持して、パッケージ３のバンプ４上へ下降させて所定圧力で熱圧着すると同時に、吸着ノズル６に超音波を印加する。図４に示す引出電極２１ａの厚みはおよそ１０００Åであるから、吸着ノズル６の吸着面が平面であっても吸着に支障はない。
【００１８】
次に、本発明の実施形態の効果について説明する。水晶片２をパッケージ３に搭載するに当たっては、吸着ノズルの吸着面で水晶片２の平面側を吸着するので、水晶片２がパッケージ３の長手方向に対して確実に平行を保って保持され、接合される。また、吸着ノズル６は水晶片２を吸着する際に、励振電極２１に接触することがなく傷つけないので、水晶振動子１のデバイス特性に何ら悪影響を及ぼすことはない。
【００１９】
次に、他の実施の形態である水晶振動子の製造方法について説明する。図５は、吸着ノズルの他の実施形態を示す断面図であり、図４とは吸着ノズルのみが異なっている。図５において、１６は吸着ノズルであり、吸着面には引出電極２１ａに接触しないようにするための逃げ部である凹部１６ａが形成されている。水晶片２の引出電極２１ａ以外の水晶面を直接吸着ノズル１６を用いて吸着することによって、引出電極２１ａに全く傷つけることなくパッケージ３に水晶片２の超音波接合ができる。
【００２０】
なお、本発明の実施の形態では、バンプ１０は予めパッケージ３の接続電極３１、３２側へ形成するように説明したが、バンプ１０は水晶片２側へ形成しておいてもよい。以上、本発明の実施の形態では、圧電デバイスである水晶振動子について説明してきたが、本発明は、他の振動子や発振器などの圧電デバイスについても適用できるものである。発振器の場合にはパッケージのキャビティにＩＣが実装されている。また、水晶片２のベベリング形状は円弧形状に限らず、斜面形状であってもよい。
【００２１】
【発明の効果】
本発明は、短冊形状の長手方向の両端部にベベル加工又はコンベックス加工を施した圧電素板を超音波によりバンプを介してパッケージに保持する圧電振動子において、前記圧電素板の一方の面は平面としたので、超音波を利用してバンプを介してパッケージに接合する際、圧電素板を確実に水平に接合することができた。また、超音波ノズルで吸着するのは圧電素板の励振電極を除いた部分のみとすることで、デバイス特性に重要な励振電極ばかりでなく引出電極をも傷つけることがなく、特性が安定した薄型の圧電振動子が実現できた。
【図面の簡単な説明】
【図１】本発明の実施の形態である水晶振動子の平面図である。
【図２】図１のＸ−Ｘ断面を示す断面図である。
【図３】本発明の実施の形態である水晶振動子の製造方法を示す断面図である。
【図４】図３のＹ−Ｙ断面を示す断面図である。
【図５】本発明の他の実施の形態である吸着ノズルの断面図である。
【符号の説明】
１  水晶振動子
２  水晶片
３  パッケージ
４  バンプ
６  吸着ノズル
２１、２２  励振電極
２１ａ、２２ａ  引出電極
【図１】
2005033390.tif 000003
【図２】
2005033390.tif 000004
【図３】
2005033390.tif 000005
【図４】
2005033390.tif 000006
【図５】
2005033390.tif 000007